(57)【要約】【課題】中皿の落下強度が向上し、しかも、衛生的で、しかも、中皿交換等の際にパフ等を落とすことがなく、しかも、接着剤を必要としない化粧料容器を提供する。【解決手段】上面に化粧皿収容凹部１ａが形成された容器本体１と、この容器本体１の上面を蓋する蓋体２と、上記容器本体１の化粧皿収容凹部１ａに着脱自在に収容される化粧皿３とを備えている。そして、上記容器本体１の化粧皿収容凹部１ａの下部に、上記化粧皿３を挿通しうる貫通穴を穿設し、上記容器本体１に、その化粧皿収容凹部１ａの貫通穴を開閉自在に蓋する下蓋部７を設け、上記化粧皿収容凹部１ａの貫通穴を下蓋部７で閉蓋した状態では、上記化粧皿３を下蓋部７に載置して上記化粧皿収容凹部１ａ内に収容，固定し、上記下蓋部７を開蓋した状態では、上記化粧皿３を上記化粧皿収容凹部１ａの貫通穴を通して下側に取り出しうるように構成している。【選択図】図１
2005287709.tif 000002
【特許請求の範囲】
【請求項１】
上面に凹部が形成された容器本体と、この容器本体の上面を蓋する蓋体と、上記容器本体の凹部に着脱自在に収容される中皿とを備え、上記容器本体の凹部の下部に、上記中皿を挿通しうる貫通穴を穿設し、上記容器本体に、その凹部の貫通穴を開閉自在に蓋する下蓋部を設け、上記凹部の貫通穴を下蓋部で閉蓋した状態では、上記中皿を下蓋部に載置して上記凹部内に収容，固定し、上記下蓋部を開蓋した状態では、上記中皿を上記凹部の貫通穴を通して下側に取り出しうるように構成したことを特徴とする化粧料容器。
【請求項２】
上記容器本体の凹部の周壁面に、閉蓋状態で上記下蓋部に載置される中皿の周側壁上面に当接する凸部が突設されている請求項１記載の化粧料容器。
【請求項３】
上記下蓋部の一部が容器本体の一部に着脱自在に係合した状態で、上記下蓋部の他部が容器本体の他部にこれに対し上下方向に回動自在に連結されている請求項１または２記載の化粧料容器。
【請求項４】
上記下蓋部の一部が容器本体の一部に着脱自在に係合した状態で、上記下蓋部が容器本体に上記凹部の下面に沿ってスライド自在に保持されている請求項１または２記載の化粧料容器。
【発明の詳細な説明】
【技術分野】
【０００１】
本発明は、化粧料容器に関するものである。
【背景技術】
【０００２】
従来から、ファンデーション等の化粧料を収容して携帯する化粧料容器として、図２３に示すようなコンパクト容器が出回っている。このコンパクト容器は、上面に凹嵌部４２と小物入れ部４３とが並べて形成された受皿部本体４１と、この受皿部本体４１の縁部にヒンジ結合された蓋体４４と、上記受皿部本体４１および上記蓋体４４の内側面の鏡４６間に配設されこの鏡４６に化粧料４７が付着するのを防止する仕切シート４５とからなっており、上記凹嵌部４２に、化粧料４７を充填収容した化粧料用中皿４８が装着されているとともに、上記小物入れ部４３にパフ４９等の小物が収容されている。そして、閉蓋状態では、化粧料用中皿４８の外側側壁面に形成された係着溝（図示せず）に、凹嵌部４２の内側側壁面に形成された係着部材（図示せず）を着脱自在に係止させることにより、化粧料用中皿４８を凹嵌部４２に着脱自在に装着するようにしている（例えば、特許文献１参照）。図において、４１ａは蓋体４４の係止片４４ａに着脱自在に係止する蓋係止部材である。また、このようなコンパクト容器では、上記係止に代えて、受皿部本体４１の凹嵌部４２に化粧料用中皿４８をホットメルト等の接着剤で接着，固定することもよく行われている。
【特許文献１】特開２００２−２２３８４３号公報
【発明の開示】
【発明が解決しようとする課題】
【０００３】
しかしながら、上記のコンパクト容器では、化粧料用中皿４８の外側側壁面に係着溝が形成されているため、化粧料用中皿４８の落下強度が低下する。しかも、化粧料用中皿４８を新品と交換等するため、開蓋状態で仕切シート４５や化粧料用中皿４８を受皿部本体４１から取り出す際に、仕切シート４５に付着していた化粧料４７が下方に落ちたり、化粧料用中皿４８内の化粧料４７が外部にこぼれ落ちたりして、化粧料４７が鏡４６，パフ４９等に付着して周囲を汚染し、また、化粧料用中皿４８を取り出した時に指先に化粧料４７が付着した状態で、この指先が鏡４６に触れて指先跡がつく等して周囲を汚染することもあり、非衛生的である。しかも、上記交換等の際にパフ４９等を小物入れ部４３から落とすこともある。しかも、受皿部本体４１の凹嵌部４２に化粧料用中皿４８を接着剤で接着，固定するコンパクト容器では、上記接着剤が必要になるという問題もある。
【０００４】
本発明は、このような事情に鑑みなされたもので、中皿の落下強度が向上し、しかも、衛生的で、中皿交換等の際にパフ等を落とすことがなく、しかも、接着剤を必要としない化粧料容器の提供をその目的とする。
【課題を解決するための手段】
【０００５】
上記の目的を達成するため、本発明の化粧料容器は、上面に凹部が形成された容器本体と、この容器本体の上面を蓋する蓋体と、上記容器本体の凹部に着脱自在に収容される中皿とを備え、上記容器本体の凹部の下部に、上記中皿を挿通しうる貫通穴を穿設し、上記容器本体に、その凹部の貫通穴を開閉自在に蓋する下蓋部を設け、上記凹部の貫通穴を下蓋部で閉蓋した状態では、上記中皿を下蓋部に載置して上記凹部内に収容，固定し、上記下蓋部を開蓋した状態では、上記中皿を上記凹部の貫通穴を通して下側に取り出しうるように構成したという構成をとる。
【発明の効果】
【０００６】
すなわち、本発明の化粧料容器は、容器本体の凹部の下部に、中皿を挿通しうる貫通穴を穿設し、上記容器本体に、その凹部の貫通穴を開閉自在に蓋する下蓋部を設けるようにしている。そして、上記凹部の貫通穴を下蓋部で閉蓋した状態では、上記中皿を下蓋部に載置して上記凹部内に収容，固定し、上記下蓋部を開蓋した状態では、上記中皿を上記凹部の貫通穴を通して下側に取り出しうるようにしている。このように、本発明では、下蓋部を閉蓋状態にすることにより、中皿を容器本体の凹部内に収容，固定することができるため、中皿の外周壁面に係合用の凹部等を形成する必要がなくなり、中皿の落下強度が向上する。しかも、中皿を新品と交換等する場合には、蓋体を閉蓋した状態で、下蓋部を開蓋し、中皿（化粧料を使い切った中皿）を容器本体の凹部の下側から取り出せばよい。このため、上記交換等の際に、化粧料が鏡やパフ等に付着したり、化粧料の付着した指先が鏡に触れて指先跡がついたりすることがなく、衛生的であるうえ、容器本体からパフ等を落とすこともない。しかも、ホットメルト等の接着剤を必要としない。
【０００７】
上記容器本体の凹部の周壁面に、閉蓋状態で上記下蓋部に載置される中皿の周側壁上面に当接する凸部が突設されていると、上記凸部により、上記容器本体の凹部内に中皿を上方への抜け出し防止状に収容，固定することができる。
【０００８】
上記下蓋部の一部が容器本体の一部に着脱自在に係合した状態で、上記下蓋部の他部が容器本体の他部にこれに対し上下方向に回動自在に連結されていると、上記係合を外して下蓋部を下側に回動させるだけで、開蓋することができ、便利である。
【０００９】
上記下蓋部の一部が容器本体の一部に着脱自在に係合した状態で、上記下蓋部が容器本体に上記凹部の下面に沿ってスライド自在に保持されていると、上記係合を外して下蓋部をスライドさせるだけで、開蓋することができ、便利である。
【発明を実施するための最良の形態】
【００１０】
つぎに、本発明の実施の形態を図面にもとづいて詳しく説明する。
【００１１】
図１は本発明の化粧料容器の一実施の形態を示している。図において、１は上面に化粧皿収容凹部１ａとパフ収容凹部１ｂとが形成された合成樹脂製の容器本体（図２参照）で、２は上記容器本体１を蓋する合成樹脂製の蓋体で、３はファンデーション等の化粧料４が充填された金属製もしくは合成樹脂製の化粧皿（中皿）で、５は上記蓋体２の下面に接着，固定された鏡で、６は上記パフ収容凹部１ｂに収容されたパフである。
【００１２】
上記容器本体１は、図３〜図６に示すように、上記化粧皿収容凹部１ａの底壁が略四角形状に切り欠き形成されており、この切り欠き形成部１１のうち、上記化粧皿収容凹部１ａの底部に対応する部分が、貫通穴（この貫通穴は、化粧皿３を水平にした状態で挿通しうる大きさである）に形成されている。また、上記切り欠き形成部１１は、その一側面（この実施の形態では、左側面）が、上記容器本体１の左側面に開放されており、これにより、後述する下蓋部７を上記容器本体１の左側面の開放部から切り欠き形成部１１内にスライドさせながら挿入させうるようにしている。
【００１３】
また、上記容器本体１の、化粧皿収容凹部１ａとパフ収容凹部１ｂとを仕切る仕切り壁１２の下部内に、上記切り欠き形成部１１の右側面が形成されているとともに、この右側面の前後方向中央部から、底面が開放された凹部１３が右側（上記パフ収容凹部１ｂ側）に延びており、この凹部１３の奥端面下端部から、後述する下蓋部７の第１係合爪部２１ａに着脱自在に係合する第２係合爪部１３ａが左側（上記化粧皿収容凹部１ａ側）に延びている。また、上記容器本体１には、その左側壁１５の外側面の前後方向中央部（すなわち、上記凹部１３に相対向する部分）に、上記切り欠き形成部１１の左側縁部の前後方向中央部から上方に向かって延びる縦溝部１６が切り欠き形成されており、この縦溝部１６の前後両側面の上端部に前後一対のスライド溝部１６ａが相対向する状態で形成されている。また、上記化粧皿収容凹部１ａの周壁面の上端部には、化粧皿３が上方へ抜け出すのを防止するための左右一対の押さえ板（凸部）１７が突設されている。
【００１４】
また、上記容器本体１は、その前端部の左右方向中央部分に前側切欠き凹部１８が切欠き形成されており、この前側切欠き凹部１８に、上記蓋体２の係合爪（図示せず）に着脱自在に係合する係合凸部１８ａが突設されている。また、上記容器本体１には、その後端部の左右方向中央部分に後側切欠き凹部１９が切欠き形成されており、この後側切欠き凹部１９に、上記蓋体２の後端部（図示せず）がヒンジ連結されている。図６において、１３ｂは上記第２係合爪部１３ａの上面先端部に設けた凸部である。
【００１５】
上記下蓋部７は、図７および図８に示すように、上記容器本体１の切り欠き形成部１１を左右方向にスライドして上記貫通穴を開閉する四角形状の蓋本体部２１と、この蓋本体部２１の右側面上端部の前後方向中央部（すなわち、上記容器本体１の凹部１３に対応する部分）から右側に延び上記第２係合爪部１３ａに着脱自在に係合する第１係合爪部２１ａと、上記蓋本体部２１の左側縁部の前後方向中央部（すなわち、上記容器本体１の縦溝部１６に対応する部分）から上方に延び上記縦溝部１６に左右方向にスライド自在に収容される立板部２２とからなっており、この立板部２２の前後両側面の上端部から、上記容器本体１の両スライド溝部１６ａに左右方向にスライド自在に係合する前後一対の鍔部２２ａが突設されている。
【００１６】
上記の構成において、容器本体１の化粧皿収容凹部１ａ内に化粧皿３を収容する場合には、まず、上記化粧皿収容凹部１ａの切り欠き形成部１１の貫通穴の下側から化粧皿収容凹部１ａ内に化粧皿３を挿入し、ついで、この化粧皿３を支受しながら、下蓋部７を切り欠き形成部１１の開放部から挿入し、この挿入の途中で下蓋部７上に化粧皿３を載置したのち、上記挿入を続け、下蓋部７で上記貫通穴を蓋することを行う。この状態では、容器本体１の両スライド溝部１６ａに下蓋部７の両鍔部２２ａがスライド自在に係合し、下蓋部７の第１係合爪部２１ａが容器本体１の第２係合爪部１３ａに着脱自在に係合している。また、化粧皿３は下蓋部７上に載置されており、かつ、化粧皿３の周側壁の上端面に両押さえ板１７が上方への抜け出し防止状に当接している。一方、化粧皿３を新品と交換等するために、容器本体１の化粧皿収容凹部１ａから化粧皿３を取り出す場合には、蓋体２を閉蓋した状態で、下蓋部７を左側にスライドさせることを行う。これにより、上記両係合が外れ、下蓋部７を貫通穴から取り外すことができ（図９参照）、これに伴い、上記貫通穴を通して化粧皿３を下側に取り出すことができる。
【００１７】
このように、この実施の形態では、下蓋部７上に化粧皿３を載置した状態で、下蓋部７を閉蓋することにより、化粧皿３を容器本体１の化粧皿収容凹部１ａ内に収容，固定することができるため、化粧皿３の外周壁面に係合用の凹部等を形成する必要がなくなり、化粧皿３の落下強度が向上する。しかも、化粧皿３を新品と交換等する場合には、蓋体２を閉蓋した状態で、容器本体１の化粧皿収容凹部１ａの下側から（化粧料を使い切った）化粧皿３を取り出すことができるため、化粧料４が鏡５やパフ６に付着したり、取り出し時に指先に付着した化粧料４が鏡５に触れて指先跡がついたりすることがなく、衛生的であるうえ、パフ６を容器本体１から落とすこともない。しかも、ホットメルト等の接着剤を必要としない。
【００１８】
図１０は本発明の化粧料容器の他の実施の形態を示している。この実施の形態では、容器本体１の上面に化粧皿収容凹部１ａだけを形成している（図１１参照）。また、下蓋部７は容器本体１の左側壁１５ａに左右方向に回動自在に固定されている（図２０参照）。より詳しく説明すると、上記容器本体１は、図１２〜図１６に示すように、上記化粧皿収容凹部１ａの底壁が左右方向に貫通する状態で略四角形状に切り欠き形成されており、この切り欠き形成部３１のうち、上記化粧皿収容凹部１ａの底部に対応する部分が、貫通穴（この貫通穴は、化粧皿３を水平にした状態で挿通しうる大きさである）に形成されている。また、上記容器本体１の左側壁１５ａには、その外側面の前後方向中央部に、上記切り欠き形成部３１の左側縁部の前後方向中央部から上方に向かって延びる左側縦溝部３２が切り欠き形成されており、この左側縦溝部３２の前後両側面に前後一対の係合用凹部３２ａが相対向する状態で形成されている。
【００１９】
また、上記容器本体１の右側壁１５ｂには、その外側面の前後方向中央部（すなわち、上記左側縦溝部３２に相対向する部分）に、上記切り欠き形成部３１の右側縁部の前後方向中央部から上方に向かって延びる右側縦溝部３３が切り欠き形成されており、この右側縦溝部３３の奥端面の下部に第１係合用凸部３３ａが形成されている。図１２において、１７は上記化粧皿収容凹部１ａの周壁面上部に突設された左右一対の押さえ板である。
【００２０】
一方、上記下蓋部７は、図１７〜図１９に示すように、上記容器本体１の切り欠き形成部３１に上下方向に回動して上記貫通穴を開閉する四角形状の蓋本体部３５と、この蓋本体部２１の左側縁部上面の前後方向中央部（すなわち、上記容器本体１の左側縦溝部３２に対応する部分）から立設された左側立板部３６と、上記蓋本体部３５の右側縁部上面の前後方向中央部（すなわち、上記容器本体１の右側縦溝部３３に対応する部分）から立設された右側立板部３７とからなり、上記左側立板部３６の前後両側面に、上記容器本体１の左側縦溝部３２の両係合用凹部３２ａに回動自在に連結する係合用凸部３６ａが突設されている。また。上記右側立板部３７の内側面（すなわち、左側面）に、上記右側縦溝部３３の第１係合用凸部３３ａに着脱自在に係合する第２係合爪部３７ａが突設されている。それ以外の部分は上記実施の形態と同様であり、同様の部分には同じ符号を付している。この実施の形態でも、上記実施の形態と同様の作用・効果を奏する。
【００２１】
上記の構成において、容器本体１の化粧皿収容凹部１ａ内に化粧皿３を収容する場合には、まず、下蓋部７を開蓋状態にし、その状態で、上記化粧皿収容凹部１ａの切り欠き形成部１１の貫通穴の下側から化粧皿収容凹部１ａ内に化粧皿３を挿入し、ついで、この化粧皿３を支受しながら、下蓋部７を上方に回動させ、この回動の途中で下蓋部７に化粧皿３を載置させたのち、上記回動を続け、下蓋部７で上記貫通穴を蓋することを行う。この状態では、下蓋部７の第１係合爪部３３ａが容器本体１の第２係合爪部３６ａに着脱自在に係合している。また、化粧皿３は下蓋部７上に載置されており、かつ、化粧皿３の周側壁の上端面に両押さえ板１７が上方への抜け出し防止状に当接している。一方、化粧皿３を新品と交換等するために、容器本体１の化粧皿収容凹部１ａから化粧皿３を取り出す場合には、蓋体２を閉蓋した状態で、下蓋部７を下方に回動させることを行う。これにより、上記係合が外れ、下蓋部７を貫通穴から取り外すことができ（図２０参照）。
【００２２】
図２１は本発明の化粧料容器のさらに他の実施の形態を示している。この実施の形態では、上記他の実施の形態で用いた容器本体１を２個用い、一方の容器本体１を上向きにするとともに他方の容器本体１を下向きにし、その状態で両容器本体１を上下に重ね合わせて一体化している。この実施の形態でも、上記他の実施の形態と同様の作用・効果を奏する。しかも、上側に配設した容器本体１の化粧料４を使い切ったのち、下側の容器本体１を上側にして使用することで、下側の容器本体１の化粧料４を使うことができる。
【００２３】
なお、図１〜図９に示す実施の形態において、容器本体１の切り欠き形成部１１の前後両側面に前後一対の溝を設け、これら両溝に下蓋部７をスライド自在に嵌合させるようにしてもよいし、図１０〜図２１に示す実施の形態において、容器本体１の底壁の全体を切り欠き形成してもよい。また、上記各実施の形態において、化粧皿３を、分割された複数の化粧皿３ａ（例えば、図２２に示すような小化粧皿３ａ）で構成してもよい。
【図面の簡単な説明】
【００２４】
【図１】本発明の化粧料容器の一実施の形態を示す断面図である。
【図２】容器本体の平面図である。
【図３】上記容器本体の平面図である。
【図４】上記容器本体の裏面図である。
【図５】上記容器本体の左側面図である。
【図６】上記容器本体の断面図である。
【図７】下蓋部の正面図である。
【図８】上記下蓋部の平面図である。
【図９】上記化粧料容器の作用を示す断面図である。
【図１０】本発明の化粧料容器の他の実施の形態を示す断面図である。
【図１１】容器本体の平面図である。
【図１２】上記容器本体の平面図である。
【図１３】上記容器本体の左側面図である。
【図１４】上記容器本体の裏面図である。
【図１５】上記容器本体の右側面図である。
【図１６】上記容器本体の断面図である。
【図１７】下蓋部の平面図である。
【図１８】上記下蓋部の左側面図である。
【図１９】上記下蓋部の正面図である。
【図２０】上記化粧料容器の作用を示す断面図である。
【図２１】本発明の化粧料容器のさらに他の実施の形態を示す断面図である。
【図２２】化粧皿の変形例を示す平面である。
【図２３】従来例を示す斜視図である。
【符号の説明】
【００２５】
１  容器本体
１ａ  化粧皿収容凹部
２  蓋体
３  化粧皿
７  下蓋部
【図１】
2005287709.tif 000003
【図２】
2005287709.tif 000004
【図３】
2005287709.tif 000005
【図４】
2005287709.tif 000006
【図５】
2005287709.tif 000007
【図６】
2005287709.tif 000008
【図７】
2005287709.tif 000009
【図８】
2005287709.tif 000010
【図９】
2005287709.tif 000011
【図１０】
2005287709.tif 000012
【図１１】
2005287709.tif 000013
【図１２】
2005287709.tif 000014
【図１３】
2005287709.tif 000015
【図１４】
2005287709.tif 000016
【図１５】
2005287709.tif 000017
【図１６】
2005287709.tif 000018
【図１７】
2005287709.tif 000019
【図１８】
2005287709.tif 000020
【図１９】
2005287709.tif 000021
【図２０】
2005287709.tif 000022
【図２１】
2005287709.tif 000023
【図２２】
2005287709.tif 000024
【図２３】
2005287709.tif 000025